(57)【要約】【課題】光ファイバ心線先端部の長さ調整、固定作業を行う時に、光ファイバを手に所持することを省くことで一方の手で光ファイバ心線先端部の長さの調整、固定を行うことが出来るようにして、作業性を向上させる。【解決手段】光ファイバホルダ本体と、該光ファイバホルダ本体の一端側部に、光ファイバ心線挿入方向に対して直角方向に、回転側端から回動可能に一体化された蓋部と、から構成され、回転側端部と反対側の固着側端部に、回動方向に２段の一方側ラッチが形成され、心線把持部材本体の他端側部に、一方側ラッチと順次ラッチ係号する２段の他方側ラッチが形成される。【選択図】図３
2014174509.tif 000002
【特許請求の範囲】
【請求項１】
光ファイバホルダ本体と、該光ファイバホルダ本体の一端側部に、光ファイバ心線挿入方向に対して直角方向に、回転側端から回動可能に一体化された蓋部と、から構成され、回転側端部と反対側の固着側端部に、回動方向に２段の一方側ラッチが形成され、心線把持部材本体の他端側部に、一方側ラッチと順次ラッチ係号する２段の他方側ラッチが形成されたことを特徴とする光ファイバホルダ。
【請求項２】
請求項１記載の光ファイバホルダにおいて、固着側端部が、内側部および外側部からなるＵ字状に形成され、外側部外面に一方側ラッチが形成され、反対側の固着側部内面に他方側ラッチが設けられ、外側部に、指によって一方側ラッチを光ファイバ心線挿入方向に押しこむ押圧部が形成されたことを特徴とする光ファイバホルダ。
【請求項３】
請求項１記載のファイバホルダにおいて、光ファイバホルダ本体が、樹脂材で形成され、一方側ラッチの設けられた外側部外面が内方に押圧されると係号したいずれのラッチも開放されることを特徴とする光ファイバホルダ。
【請求項４】
請求項１から３のいずれかに記載された光ファイバホルダの構成方法において、
一方側ラッチの第１段目ラッチを他方側ラッチの第１段ラッチに係号させて、光ファイバを移動可能に光ファイバホルダに形成されたＶ溝に挿入し、次に一方側ラッチの第２段目ラッチを他方側ラッチの第２段ラッチに係号させて蓋部と光ファイバホルダ本体が光ファイバをＶ溝に固定することを特徴とする光ファイバホルダの構成方法。
【発明の詳細な説明】
【技術分野】
【０００１】
本発明は、光ファイバホルダおよびその構成方法に関する。
【背景技術】
【０００２】
ＦＴＴＨ（Ｆｉｂｅｒ  Ｔｏ  Ｔｈｅ  Ｈｏｍｅ）の発展により、各光加入者宅等への光ファイバの配線が行われるようになっている。その際に使用される光ファイバケーブルは光ドロップケーブルと呼ばれ、光ファイバケーブル部と、支持線部と、これら光ファイバケーブル部と支持線部とを一体的に連結する連結部とからなり、光ファイバケーブル部は、光ファイバ心線と、この光ファイバの長手方向に平行に並んで両側に配置された２本の抗張力体と、これらを被覆する樹脂被覆部とで構成されている。
【０００３】
また、光ファイバ心線の接続には、光ファイバをＶ溝等で軸合わせを行って固定して簡易に接続しようとするメカニカルスプライスが考案されている。
【０００４】
一方、ＦＴＴＨの需要増加に伴い、配線法の簡易化から、光ケーブル内の光ファイバ心線とドロップケーブルを短余長で直接接続する工法が主流となっている。例えば、特許文献３に示すような現地付けコネクタを使用する方法がある。光ファイバ心線を取り付けた現地付け光コネクタと、ドロップケーブルを取り付けた現地付け光コネクタを結合して接続する方法である。
【０００５】
特許文献１には、光ファイバ単心線が挿入溝から浮かないようにした光ファイバホルダが記載されている。
【０００６】
特許文献２には、光ファイバの中間部を光ファイバ収容溝から離脱させてたわませ、光ファイバを内蔵光ファイバに接続することが記載されている。
【先行技術文献】
【特許文献】
【０００７】
【特許文献１】特開２００７−４１３８０号公報
【特許文献２】特開２００９−２７１４３１号公報
【発明の概要】
【発明が解決しようとする課題】
【０００８】
特許文献１あるいは２に示される構造のものにあっては、光ファイバ固定部材の蓋が開放された状態で光ファイバの位置決め、固定がなされている。そのため、光ファイバホルダに光ファイバをセットして接続作業を行う際に、光ファイバ心線先端部の長さを調整しながら固定する作業がなされる。このような従来の作業では、両手を使用しての光ファイバの保持および光ファイバ心線先端部の長さ調整と固定作業となって作業性が悪く、またこのような作業性のために接続する光ファイバ心線先端部の長さに余裕を持たせる必要があった。特に、短い余長の場合、作業性が悪かった。
【０００９】
本発明の目的は、光ファイバ心線先端部の長さ調整、固定作業を行う時に、光ファイバの保持のための手による保持を避け、一方の手で光ファイバ心線の長さの調整、固定を行うことが出来るようにして、作業性を向上させることの出来る光ファイバホルダおよび光ファイバホルダの構成方法を提供することを目的とする。また、この発明は、接続する光ファイバ心線先端部を短余長とすることが出来るようにする。
【課題を解決するための手段】
【００１０】
本発明は、
光ファイバホルダ本体と、該光ファイバホルダ本体の一端側部に、光ファイバ心線挿入方向に対して直角方向に、回転側端から回動可能に一体化された蓋部と、から構成され、回転側端部と反対側の固着側端部に、回動方向に２段の一方側ラッチが形成され、心線把持部材本体の他端側部に、一方側ラッチと順次ラッチ係号する２段の他方側ラッチが形成されたことを特徴とする光ファイバホルダ、
上述した光ファイバホルダにおいて、固着側端部が、内側部および外側部からなるＵ字状に形成され、外側部外面に一方側ラッチが形成され、反対側の固着側部内面に他方側ラッチが設けられ、外側部に、指によって一方側ラッチを光ファイバ心線挿入方向に押しこむ押圧部が形成されたことを特徴とする光ファイバホルダ、
上述した光ファイバホルダにおいて、光ファイバホルダ本体が、樹脂材で形成され、一方側ラッチの設けられた外側部外面が内方に押圧されると係号したいずれのラッチも開放されることを特徴とする光ファイバホルダ、および
いずれかに記載された光ファイバホルダの構成方法において、
一方側ラッチの第１段目ラッチを他方側ラッチの第１段ラッチに係号させて、光ファイバを移動可能に光ファイバホルダに形成されたＶ溝に挿入し、次に一方側ラッチの第２段目ラッチを他方側ラッチの第２段ラッチに係号させて蓋部と光ファイバホルダ本体が光ファイバをＶ溝に固定することを特徴とする光ファイバホルダの構成方法を提供する。
【発明の効果】
【００１１】
本発明は、光ファイバホルダを上述したように構成したので、治具として用いた光ファイバホルダに光ファイバを保持させた状態にしておくことが出来、このことによって両手を用いず、一方の手のみで光ファイバ心線先端部の長さの調整、固定作業を行うことが出来、作業性を向上させることが出来る。また、光ファイバ心線先端部をより短余長にすることで、短余長接続が可能になる。
【図面の簡単な説明】
【００１２】
【図１】本発明の実施例である光ファイバホルダが治具として適用される光ファイバコネクタの構成を説明する図である。
【図２】光ファイバホルダの機能を説明する図である。
【図３】光ファイバホルダの詳細を示す図である。
【図４】各段階のラッチ係号状態を示す図である。
【発明を実施するための形態】
【００１３】
以下、本発明の実施例を図面に基づいて説明する。また、以下の実施例および図の説明において、同様の構成については同符号で示す。
【実施例】
【００１４】
図１は、スプライス型光コネクタとしての典型的なメカニカルスプライス型光コネクタの構成および突き合わせ状態を説明する図である。全ての部材が樹脂で形成される。図２に示す本実施例の光ファイバホルダ１０６が、のメカニカルスプライス型光コネクタに治具として適用される。このため、本実施例を理解しやすくするために、光ファイバホルダ１０６の説明に先立って、図１を用いて、光ファイバコネクタについて説明する。
【００１５】
図１に示すように、メカニカルスプライス収納本体１０１は、光ファイバ１０５、１０８の位置合わせを行うためのＶ溝で代表される溝が形成されたＶ溝基板で代表される溝基板１１０と、その上部から光ファイバ１０５，１０８を押さえて固定する押さえ基板１１１と、これらＶ溝基板１１０と押さえ基板１１１とを上下から把持して固定するクランプばね１１２とを有している。双方の光ファイバを接続する際には、Ｖ溝基板１１０と押さえ基板１１１との間のくさび挿入溝１１３にクサビ１０４を挿入して押し広げ、その隙間に両端から光ファイバ１０５，１０８を挿入して互いに突き合わせた後に、クサビ１０４を抜いて、クランプばね１１２の復元力によって、Ｖ溝への光ファイバ１０５，１０８の位置決めと把持を行う。
【００１６】
このように、本実施例のメカニカルスプライス型光コネクタ１００は、上面開放で箱状形状のメカニカルスプライス収納本体１０１、上面にくさび挿入溝１１３を備えた細長状のメカニカルスプライス１０２、ドロップケーブル把持部材１０３から構成される。
【００１７】
メカニカルスプライス１０２は、光ファイバを支持し位置決め調心するための断面略Ｖ字状のＶ溝を有するＶ溝基板１１０と、このＶ溝基板１１０に重ね合わされ、Ｖ溝に挿入した光ファイバを押さえるための平面を有する押さえ基板１１１と、Ｖ溝基板１１０と押さえ基板１１１とを狭持して光ファイバ心線を把持するための断面コの字状のクランプばね１１２とを有している。
【００１８】
双方の光ファイバを保持したメカニカルスプライス１０２は、メカニカルスプライス収納本体１０１に収納され、メカニカルスプライス収納本体１０１は、挿入ガイド１０９に設置される。
【００１９】
第１の光ファイバ１０５と第2の光ファイバ１０８は、メカニカルスプライス１０２内で突き合わせ接続される。
以下、光ファイバホルダ１０６を治具として上述した光ファイバコネクタに適用して光ファイバを保持する態様について説明する。
【００２０】
図２に、光ファイバホルダ１０６の詳細を示す。
【００２１】
図２（a）は、光ファイバ１０５の固定前の状態を示し、図２（b）は、光ファイバ１０５の固定状態を示す。
【００２２】
図２において、光ファイバホルダ１０６は、光ファイバホルダ本体３０１と、この光ファイバホルダ１０６の一端側部３０３に、光ファイバ心線挿入方向に対して直角方向に、回転側端である固着側端部３０４から回動可能に一体化された蓋部３０２と、から構成される。回転側端部３０４と反対側の固着側端部３０５に、回動方向に２段の一方側ラッチ３０６が形成され、光ファイバホルダ１０６の他端側部に、一方側ラッチと順次ラッチ係号する２段の他方側ラッチ３０７が形成される。一方側ラッチ３０６と他方側ラッチ３０７とからラッチ機構が構成される。このような構成から双方のラッチ３０６，３０７はラッチ係号され、相互に固定される。
【００２３】
上述した光ファイバホルダにおいて、固着側端部が、内側部および外側部からなるＵ字状に形成され、外側部外面に一方側ラッチが形成され、反対側の固着側部内面に他方側ラッチが設けられ、外側部に、指によって一方側ラッチを光ファイバ心線挿入方向に押しこむ押圧部が形成され、光ファイバホルダ本体が、弾性を有する樹脂材で形成され、一方側ラッチの設けられた外側部外面が内方に押圧されると係号したいずれのラッチも開放されることを特徴とする光ファイバホルダが形成される。
【００２４】
図３に示すように、一方側ラッチ３０６は、二つの係号ラッチ部３０６Ａおよび３０６Ｂを持ち、一方側ラッチ３０６Ａ，３０６Ｂの形状は、歯状をなし、先端が外方に向いた三角形状で、連続して形成されている。連続したラッチ係号を可能とする。
【００２５】
図３に示す拡大図で、下側に位置した係号部３０６Ａが第１の係号ラッチ部であり、上側にある係号ラッチ部３０６Ｂが第２の係号部となる。係号ラッチ部３０６Ａおよび３０６Ｂは、上面にラッチ係号のための係止面を有する。
【００２６】
固着側端部３０５が、内側部および外側部からなるＵ字状部３０８に形成され、外側部外面に一方側ラッチ３０６が形成される。Ｕ字状部３０８に対抗する光ファイバホルダの他端側面に他方側ラッチ３０７が形成される。Ｕ字状部とすることで弾性変形しやすくなり、ラッチ係号が形成しやすくなる。他方側ラッチ３０７は一つの係号ラップ部３０７Ａ、すなわち三角形状の係号歯を持ち、先端は、内方に向く。係号ラップ部３０７Ａは、下面に係止面を有する。係号ラッチ部３０６Ａ，３０６Ｂが外方を向き、係号ラッチ部３０７Ａが内方を向くことで、両者は、係止面が係号することが可能となり、二つのラッチ係号を形成する。光ファイバホルダ１０６は、樹脂で形成されており、その弾力変形によってラッチ係号は、容易に形成することが出来る。また、Ｕ字状部３０８の構成によってラッチ係号は、容易になされ、容易に係号が解除される。
【００２７】
蓋部３０２の外側部端部に、指によって一方側ラッチを光ファイバ心線挿入方向に押しこむ押圧部３０９が形成される。図３から明らかなように、Ｕ字状部３０８の先端側にこの押圧部(押し込み部)３０９が形成され、押しこみ操作を楽にしている。押圧面の正面にはいくつかの小さな突起が形成してあり、押圧する指が確実に作用するようになっている。この押圧部３０９を下方に押圧して押し込むことで、ラッチ係号操作が容易になされ、押圧部３０９を内方に押圧、すなわちＵ字状部３０８の外側部の外面を内方に指で押圧することでラッチ係号を解除して、蓋部３０２を逆方向に回動させて固定状態から開放することが出来る。図２（a）は、蓋部３０２が開放された状態を示す。図２（b）は、ラッチ係号を用いて蓋部３０３を閉じた状態を示す。この状態では、心線ホルダ１０６は、治具として用いられ、光ファイバ１０５を保持する。
【００２８】
図２において、光ファイバホルダ１０６は、光ファイバ１０５が載置される上面３１１を備え、この上面３１１の中央部に光ファイバガイド３１２を備え、先端部（図で左方部）は、Ｕ字形状部３１５とされ、このＵ字形状部３１５に形成された空間部３１６に面して光ファイバ案内３１３が設けられ、光ファイバガイド３１２に面し、上面３１２の中央部の他端側にＵ字状部３０８が入り込む窪み３１４が形成される。したがって、Ｕ字状部３０８は、蓋部３０２を閉め、接続のための光ファイバ１０５先端部の長さ調整を行う時に、窪み３１４に収納されることになる。３１０は、光クロージャ側への固定用突起である。上述したラッチ機構を用いた光ファイバホルダ１０６の治具の採用によって、光ファイバガイド３１２、光ファイバ案内３１３によって光ファイバ１０５を上面３１１に形成されたＶ溝３２０に載置し、光ファイバを光ファイバホルダ１０６に係号させて保持することで、光ファイバ先端部加工作業準備の形成が単純化される。
【００２９】
図４は、光ファイバ１０５を光ファイバホルダ１０６に挿入し、光ファイバ心線先端部の長さ調整、および光ファイバ心線の固定を行うステップを示す図であり、図４（a）が、第１段階ステップ、図４（ｂ）が、第２段階ステップを示す。
【００３０】
ラッチが２組あることは上述した。また、ラッチによって二つのラッチ係号が形成されることも上述した。
【００３１】
図４（a）において、第１段階で、蓋部３０２を回動させる。一方側ラッチ３０６の第１ラッチ部３０６Ａが他方側ラッチ３０７のラッチ係号部３０７Ａに係止面で係号する。この係号状態では、蓋部３０２は、光ファイバ１０５を上面３１１のＶ溝３２０に固定していないから光ファイバ１０５を、Ｖ溝３２０内を押したり、引いたりして動かすことが出来る。第１ラッチ係号部３０６Ａは、ラッチ係号部３０７Ａに係止面で係号しているので、逆回転動作することがなく双方は固定され、光ファイバ１０５の動作は、一方の手を使うだけで行うことが出来ることになる。光ファイバホルダ１０６をいずれかの手で持つ必要はない。光ファイバ１０５が挿入方向に移動できるこの状態では、光ファイバホルダ１０６は、光ファイバ１０５を保持し、一方の手のみの作業で光ファイバ１０５の先端の位置の調整、すなわち光ファイバ心線先端部の長さ調整をなし得る。
【００３２】
図４（b）に示す第２段階で、蓋部３０２を更に少し回動させると、第２段階のラッチ係号に移行する。この段階では、第２ラッチ係号部３０６Ｂがラッチ係号部３０７Ａに係止面で係号する。それぞれのラッチ係号部は図３に示した形状をしているので、段階移行はスムーズになされる。この段階では、蓋部３０２が少し回動した状態で、蓋部３０２が上面３１１のＶ溝３２０に光ファイバ１０５を固定することになり、もはや光ファイバ１０５は自由移動出来ず、光ファイバ１０５が挿入方向に固定された状態となる。第２ラッチ係号部３０６Ｂは、ラッチ係号部３０７Ａに係止面で係号しているので、逆回転動作することがなく保持され、光ファイバ１０５の加工作業は、一方の手を使うだけで行うことが出来、光ファイバホルダ１０６を手で持つ必要はない。光ファイバ１０５が固定されたこの状態では、光ファイバ１０５の先端部の加工、すなわち被覆除去、ファイバカット、光ファイバ心線同士の接続がなされる。
【００３３】
このように、第１段目のラッチ係号で蓋部３０２が光ファイバホルダ本体３０１に固定され、光ファイバ１０５が飛び出さない構造とされるため、光ファイバ１０５を、Ｖ溝３２０内を押したり引いたりするだけで光ファイバ１０５の先端長さを調整することが出来、この長さ調整を一方の手のみで行うことが出来る。従来技術にあっては、光ファイバ心線先端部の長さ調整に両手を使う必要があったが、本実施例によれば、光ファイバホルダ１０６を両手で保持しておく必要がなくなり、一方の手のみで光ファイバ心線先端部の長さ調整することが可能になった。このように、光ファイバホルダ１０６を、接続しようとする光ファイバ１０５を収容する光クロージャに固定することになって、光ファイバホルダ１０６を手で持つ必要がなく、より短余長接続が可能になる。
【符号の説明】
【００３４】
１００…メカニカルスプライス型光コネクタ（スプライス型光コネクタ）、１０１…メカニカルスプライス収納本体（スプライス収納本体）、１０２…メカニカルスプライス（スプライス）、１０５…光ファイバ、１０６…-光ファイバホルダ、３０１…-光ファイバホルダ本体、３０２…蓋部、３０３…-一端側部、３０４…回転側端部である固着側端部、３０５…-一方側ラッチ、３０６…他方側ラッチ、３０８…Ｕ字状部、３０９…押圧部（押し込み部）、３１１…上面、３２０…Ｖ溝。
【図１】
2014174509.tif 000003
【図２】
2014174509.tif 000004
【図３】
2014174509.tif 000005
【図４】
2014174509.tif 000006